(57)【特許請求の範囲】
【請求項１】
装着対象履物の足底部と前記装着対象履物の甲被部との間に挿入して利用される履物用中敷であって、
前記足底部側に配置されるための第１シートと、
前記甲被部側に配置されるための第２シートと、
を備え、
前記第２シートは、前記第１シートの足長方向における前方側領域の全部または一部を少なくとも覆うように、前記第１シートに重ねられて配置され、
前記第１シートの一部である第１部分と、前記第２シートの一部であって前記第１シートと前記第２シートとの積層状態にて前記第１部分に接触する第２部分とが接合されており、
前記第１シートと前記第２シートとは、前記装着対象履物の足長方向において互いに同じ大きさを有し、
前記履物用中敷の利用前において、前記第１シートと前記第２シートとは互いに重ねられた平坦な状態を有しており、
前記履物用中敷の利用時には、前記第１部分と前記第２部分との接合部で接合された状態で前記第１シートと前記第２シートとの両シートがその非接合部分において互いに引き離される向きに移動されることによって前記第１シートと前記第２シートとの間に形成される空間に利用者の足を挿入することが可能となるように構成されていることを特徴とする履物用中敷。
【請求項２】
請求項１に記載の履物用中敷において、
前記第１部分は、前記足のつま先の外側部分に対応する部分である前方部分と前記足の前側甲部の左方外側部分および右方外側部分に対応する両側方部分とに設けられ、
前記接合部による接合によって、前記両側方部分が閉鎖されるとともに前記前方部分もが閉鎖されており、
前記履物用中敷の利用時には、前記接合部で接合された状態で前記両シートがその非接合部分において互いに引き離される向きに移動されることによって、前記利用者の足のつま先と当該足の前側甲部とを包囲する袋状部を前記第１シートと前記第２シートとの間に形成できるように構成されていることを特徴とする履物用中敷。
【請求項３】
請求項２に記載の履物用中敷において、
前記第１部分は、後方に開いたＵ字状あるいは円弧状の部分であり、前記第１シートの前方側に設けられることを特徴とする履物用中敷。
【請求項４】
請求項１から請求項３のいずれかに記載の履物用中敷において、
前記第１シートと前記第２シートとは、前記装着対象履物の幅方向において互いにほぼ同じ大きさを有し、
前記第１部分は、前記第１シートの周縁部の一部であり、
前記第２部分は  前記第２シートの周縁部の一部であることを特徴とする履物用中敷。
【請求項５】
請求項１から請求項４のいずれかに記載の履物用中敷において、
前記第１シートの幅および前記第２シートの幅は、いずれも、前記装着対象履物の幅よりも大きいことを特徴とする履物用中敷。
【請求項６】
請求項１から請求項５のいずれかに記載の履物用中敷において、
前記第２シートは、前記第１シートと接合されていない非接合部分を前記第２シートの後端側に少なくとも有し、
前記第２シートの後端側の非接合部分は、前記装着対象履物の前記甲被部の後側端部において、前記装着対象履物の前方側に折り返すことが可能な折り返し部として機能することを特徴とする履物用中敷。
【発明の詳細な説明】
【技術分野】
【０００１】
本発明は、対象履物（スリッパ等）を履く際に一時的に利用される履物用中敷に関する。
【背景技術】
【０００２】
病院および学校等の公共施設、飲食店のトイレ、宿泊施設等の集客施設等にて常備されている、スリッパおよび草履などの履物は、不特定多数の人に日々利用されている。
【０００３】
しかしながら、当該履物に対しては殺菌処理がなされていないことも多く、衛生面において問題があった。また、不特定の人が使用する履物をそのまま履くことに抵抗感を有する人（ストレスを感じる人）も少なくない。
【発明の概要】
【発明が解決しようとする課題】
【０００４】
そこで、この発明の課題は、不特定多数の他者によって使用される履物を利用する際における衛生状態を改善することが可能な履物用中敷を提供することを課題とする。
【課題を解決するための手段】
【０００５】
上記課題を解決すべく、請求項１の発明は、装着対象履物の足底部と前記装着対象履物の甲被部との間に挿入して利用される履物用中敷であって、前記足底部側に配置されるための第１シートと、前記甲被部側に配置されるための第２シートと、を備え、前記第２シートは、前記第１シートの足長方向における前方側領域の全部または一部を少なくとも覆うように、前記第１シートに重ねられて配置され、前記第１シートの一部である第１部分と、前記第２シートの一部であって前記第１シートと前記第２シートとの積層状態にて前記第１部分に接触する第２部分とが接合されており、前記第１シートと前記第２シートとは、前記装着対象履物の足長方向において互いに同じ大きさを有し、前記履物用中敷の利用前において、前記第１シートと前記第２シートとは互いに重ねられた平坦な状態を有しており、前記履物用中敷の利用時には、前記第１部分と前記第２部分との接合部で接合された状態で前記第１シートと前記第２シートとの両シートがその非接合部分において互いに引き離される向きに移動されることによって前記第１シートと前記第２シートとの間に形成される空間に利用者の足を挿入することが可能となるように構成されていることを特徴とする。
【０００６】
請求項２の発明は、請求項１の発明に係る履物用中敷において、前記第１部分は、前記足のつま先の外側部分に対応する部分である前方部分と前記足の前側甲部の左方外側部分および右方外側部分に対応する両側方部分とに設けられ、前記接合部による接合によって、前記両側方部分が閉鎖されるとともに前記前方部分もが閉鎖されており、前記履物用中敷の利用時には、前記接合部で接合された状態で前記両シートがその非接合部分において互いに引き離される向きに移動されることによって、前記利用者の足のつま先と当該足の前側甲部とを包囲する袋状部を前記第１シートと前記第２シートとの間に形成できるように構成されていることを特徴とする。
【０００７】
請求項３の発明は、請求項２の発明に係る履物用中敷において、前記第１部分は、後方に開いたＵ字状あるいは円弧状の部分であり、前記第１シートの前方側に設けられることを特徴とする。
【０００８】
請求項４の発明は、請求項１から請求項３のいずれかの発明に係る履物用中敷において、前記第１シートと前記第２シートとは、前記装着対象履物の幅方向において互いにほぼ同じ大きさを有し、前記第１部分は、前記第１シートの周縁部の一部であり、前記第２部分は前記第２シートの周縁部の一部であることを特徴とする。
【０００９】
請求項５の発明は、請求項１から請求項４のいずれかの発明に係る履物用中敷において、前記第１シートの幅および前記第２シートの幅は、いずれも、前記装着対象履物の幅よりも大きいことを特徴とする。
【００１２】
請求項６の発明は、請求項１から請求項５のいずれかの発明に係る履物用中敷において、前記第２シートは、前記第１シートと接合されていない非接合部分を前記第２シートの後端側に少なくとも有し、前記第２シートの後端側の非接合部分は、前記装着対象履物の前記甲被部の後側端部において、前記装着対象履物の前方側に折り返すことが可能な折り返し部として機能することを特徴とする。
【発明の効果】
【００１３】
請求項１から請求項６に記載の発明によれば、第１シートによって足底部と足との接触が回避され、第２シートによって甲被部と足との接触が回避されるので、衛生的である。また、履物用中敷の利用前において、第１シートと第２シートとは互いに重ねられた平坦な状態を有しているので、嵩張らず携帯性に優れる。さらに、履物用中敷の利用時には、接合部で接合された状態で両シートがその非接合部分において互いに引き離される向きに移動されることによって第１シートと第２シートとの間に形成される空間に利用者の足を挿入することが可能となるように構成されている。したがって、足を挿入するための立体的な構造を最初から形成しておくことを要さず、履物用中敷を立体的に形成するための製造工程をも要しないので、履物用中敷を容易に製造することが可能である。
【００１４】
特に、請求項２に記載の発明によれば、利用者の足のつま先と当該足の前側甲部とを包囲する袋状部が両シートの間に形成され、当該袋状部によって足の前側甲部のみならず足のつま先をも覆うことができるので、さらに衛生的である。特に、足の前側甲部の両側方部分が閉鎖されるとともに足のつま先の外側部分に相当する前方部分もが閉鎖されるように接合されているので、足のつま先が当該袋状部から突出することが無く、非常に衛生的である。
【００１５】
また特に、請求項４に記載の発明によれば、当該接合部の外側に余剰部分を殆ど発生させずに済むので、履き心地の低下を防止できる。
【００１６】
また特に、請求項６に記載の発明によれば、第２シートの後端側の非接合部分は、装着対象履物の甲被部の後側端部において前方側に折り返される折り返し部として機能するので、利用者の足と装着対象履物の甲被部の後側端部とが接触することを防止できる。したがって、非常に衛生的である。また、履物用中敷を脱ぐ際には、当該折り返し部を把持することによって、手が履物に触れることを防止できる。したがって、履物用中敷１の取り外し時においても、非常に衛生的である。
【図面の簡単な説明】
【００１７】
【図１】第１実施形態に係る履物用中敷の上面図である。
【図２】履物用中敷の側面図である。
【図３】上側シートの上面図である。
【図４】下側シートの上面図である。
【図５】履物用中敷の分解斜視図である。
【図６】履物用中敷の利用に際して折り返し部が折り返された状態を示す図である。
【図７】装着対象の履物の一例を示す上面図である。
【図８】装着対象の履物の一例を示す側面図である。
【図９】履物用中敷と装着対象の履物とを対比して示す図である。
【図１０】履物用中敷と装着対象の履物とを対比して示す図である。
【図１１】両シートの間の空間が拡大しつつある履物用中敷を斜め後方から見た斜視図である。
【図１２】履物用中敷を左側方から見た側面図である。
【図１３】図１２のＣ−Ｃ断面を示す断面図である。
【図１４】第２実施形態に係る履物用中敷の上面図である。
【図１５】第２実施形態に係る履物用中敷の側面図である。
【図１６】第２実施形態に係る履物用中敷の分解斜視図である。
【図１７】第２実施形態に係る折り返し部が折り返された状態を示す側面図である。
【図１８】第２実施形態に係る履物用中敷の利用状態を示す側面図である。
【発明を実施するための形態】
【００１８】
以下、本発明の実施形態を図面に基づいて説明する。
【００１９】
＜１．第１実施形態＞
図１は、本実施形態に係る履物用中敷１（１Ａとも称する）の上面図であり、図２は、当該履物用中敷１の側面図である。
【００２０】
履物用中敷１は、その利用者が、不特定多数の他人によって使用された履物９０（たとえば、スリッパ）を履く際に一時的に利用するものである。
【００２１】
なお、履物９０（図７および図８参照）は、たとえば、病院および学校等の公共施設、飲食店のトイレ、宿泊施設等の集客施設等にて常備されており、不特定多数の人に使用される。図７および図８は、履物９０（装着対象履物あるいは利用対象履物とも称する）の一例を示す図である。ここでは、履物９０として、スリッパを例示するが、これに限定されない。たとえば、他の種類の履物９０（草履あるいはサンダル等）を履く際に履物用中敷１が利用されてもよい。
【００２２】
履物用中敷１は、履物９０（図７および図８参照）に対して一時的に装着されて利用される。履物用中敷１は、好ましくは、一回（あるいは数回）利用された後に廃棄されるタイプ（いわゆる使い捨てタイプ）の中敷として形成される。
【００２３】
履物用中敷１は、履物９０の足底部９１（詳細には、足底部上面９１ａ）と当該履物９０の甲被部９２（詳細には、甲被部９２の裏面（内側面）９２ｂ）との間に挿入されて利用される（図１２および図１３（後述）も参照）。
【００２４】
図１および図２に示されるように、履物用中敷１は、下側シート３（図４および図５も参照）と上側シート４（図３および図５も参照）とを備えて構成される。なお、図３は、上側シート４の上面図であり、図４は、下側シート３の上面図である。また、図５は、履物用中敷１の分解斜視図である。
【００２５】
下側シート３および上側シート４は、それぞれ、たとえば不織布を裁断（所定形状に切断）して形成される。図２等に示されるように、上側シート４は、下側シート３の上に重ねられて（積層されて）配置される。
【００２６】
下側シート３は、履物９０の足底部９１側に配置されるためのシートであり、足底部側シートなどとも称される。利用時において、下側シート３は、主に足底部９１の足底部上面９１ａに接触するように配置される（図１２および図１３も参照）。
【００２７】
上側シート４は、履物９０の甲被部９２側に配置されるためのシートであり、甲被部側シートなどとも称される。利用時において、上側シート４は、主に履物９０の甲被部９２の裏面（内側面）９２ｂに接触するように配置される。
【００２８】
下側シート３は、平面視において、足長方向に伸びる略長円形状を有している（図１および図４等参照）。詳細には、下側シート３は、その前方側（図１等における左側）とその後方側（図１等における右側）との双方においてそれぞれ半円状領域を有している。また、下側シート３は、その中央部（前後方向中央部）において、これらの半円状領域を接続する矩形領域を有している。
【００２９】
一方、上側シート４は、足長方向（図３等の左右方向）において、下側シート３よりも短い。上側シート４は、平面視において、下側シート３の概ね前方側半分（図４等における左半分）に相当する形状を有している。（図１および図３等参照）。詳細には、上側シート４は、その前方側（図１等における左側）において半円状領域を有するとともに、その後方側において矩形領域を有している。
【００３０】
上側シート４の後端部側は、折り返し部５（後述）として形成される。なお、ここでは、上側シート４は、足長方向において、下側シート３の概ね半分（１／２）程度の長さを有しているが、これに限定されず、たとえば、下側シート３の１／３〜２／３程度の長さを有していてもよい。また、折り返し部５を十分な長さに形成するため、上側シート４は、下側シート３の半分よりも大きな長さを有することが好ましい。
【００３１】
上側シート４は、下側シート３の足長方向（図１の左右方向）における前方側領域３ｆ（図４参照）を覆うように、下側シート３に積層されて（重ねられて）配置される。なお、ここでは、上側シート４は、前方側領域３ｆの全部を覆うように配置されている。
【００３２】
また、下側シート３と上側シート４とは、接合部６（図１の太線参照）においてのみ接合されている。接合部６は、履物用中敷１の周縁部の一部に形成されている。より詳細には、接合部６は、履物用中敷１の前方側（ひいては履物９０の前方側）を凸側とする逆Ｕ字型（換言すれば、長円の半円弧状）の線状領域に形成されている。この逆Ｕ字型の線状領域の内部領域（「Ｕ」字の線で囲まれる領域）および折り返し部５（後述）においては、両シート３，４は互いに接合されてはいない。
【００３３】
詳細には、下側シート３の一部である第１部分７（図４参照）と上側シート４の一部である第２部分８（図３参照）とが熱圧着等により接合されることによって、接合部６が形成されている。ここでは、第１部分７は、下側シート３の周縁部の一部であり、第２部分８は、上側シート４の周縁部の一部である。また、図５の分解斜視図にも示されるように、第２部分８は、下側シート３と上側シート４との積層状態にて第１部分７に対応する部分（接触する部分）である。逆に言えば、第１部分７は、下側シート３と上側シート４との積層状態にて第２部分８に対応する部分である。なお、第１部分７および第２部分８は、図３〜図５において、太い破線で示されている。
【００３４】
図３等に示されるように、第１部分７は、後方に開いたＵ字状の部分であり、下側シート３の前方側に設けられる。詳細には、第１部分７は、下側シート３の前方側（図４の左側）の半円の周縁部（円弧部分）７ａと、当該円弧部分の両端にてそれぞれ接続する直線部分（下側シート３の前後方向に伸びる２本の直線部分）７ｂ，７ｃとに亘って設けられる。換言すれば、第１部分７は、利用者の足９９（図９（後述）等参照）のつま先の外側部分（外周部分）に対応する部分である前方部分７ａ（図９における接合部６の両矢印付きの半円弧部分参照）と、当該足の前側甲部の左方外側部分および右方外側部分に対応する両側方部分７ｂ，７ｃ（図９における接合部６の両矢印付きの直線部分参照）とに亘って設けられる。なお、部分７ａは、履物９０（図９等参照）のつま先側部分（前方端側部分）に対応する部分であるとも表現され、部分７ｂ，７ｃは、履物９０の甲被部（詳細には、当該つま先側部分よりも後方側の甲被部）に対応する部分であるとも表現される。
【００３５】
同様に、第２部分８は、後方に開いたＵ字状の部分であり、上側シート４の前方側に設けられる。詳細には、上側シート４の前方側（図３の左側）の半円の周縁部（円弧部分）８ａと、当該円弧部分の両端にてそれぞれ接続する直線部分（上側シート４の前後方向に伸びる２本の直線部分）８ｂ，８ｃとに亘って設けられる。換言すれば、第２部分８は、利用者の足９９（図９等参照）のつま先の外側部分に対応する部分である前方部分８ａと当該足の前側甲部の左方外側部分および右方外側部分に対応する両側方部分８ｂ，８ｃとに亘って設けられる。なお、部分８ａは、履物９０のつま先側部分（前方端側部分）に対応する部分であるとも表現され、部分８ｂ，８ｃは、履物９０の甲被部（詳細には、当該つま先側部分よりも後方側の甲被部）に対応する部分であるとも表現される。
【００３６】
接合部６による接合によって、前方部分７ａ，８ａが閉鎖され且つ左方外側部分７ｂ，８ｂが閉鎖され且つ右方外側部分７ｃ，８ｃが閉鎖されるように構成されている。すなわち、上側シート４の前方縁部および側方縁部が閉鎖されている。一方、上側シート４の後方側等は閉鎖されていない。
【００３７】
ここにおいて、第２部分８の直線部分の長さは、上側シート４の直線部分の長さよりも短い。換言すれば、上側シート４の後端部４ｅから所定長の非接合部分４ｃを残した状態で接合部６が形成されている。
【００３８】
上側シート４において、後端部４ｅから前後方向に所定長を有する矩形状の領域（非接合部分４ｃ）は、折り返し部５として形成される。折り返し部５は、履物用中敷１の前方側（図１等の左側）に折り返すことが可能となるように形成された部分である（図６も参照）。折り返し部５は、利用者によって前方側に折り返される。ここでは、上側シート４の後端側における所定長の非接合部分４ｃが、履物用中敷１の前方側に折り返される折り返し部５として機能する。当該折り返し部５は、上側シート４の後端側に設けられる部分であって、接合部６の後端部よりも更に後端側に伸びる部分（接合部６の後端部よりも長めに設けられた部分）であるとも表現される。なお、図６は、履物用中敷１の利用に際して折り返し部５が折り返された状態を模式的に示す側面図である。
【００３９】
図９は、履物用中敷１の上面図である。図９においては、履物用中敷１の大きさと装着対象の履物９０の大きさとが対比して示されている。図１０は、図９と同様の図である。図１０においては、履物用中敷１の利用時において主に起き上がる部分（立ち上がる部分）に、斜線が付されて示されている。
【００４０】
下側シート３は、足底部９１を全体的に覆う大きさを有している。また、上側シート４は、履物９０の前方側の甲被部９２に対応する領域に設けられている。
【００４１】
下側シート３と上側シート４とは、履物９０の幅方向において、互いにほぼ同じ大きさ（幅）を有している。
【００４２】
図９等に示されるように、下側シート３の幅および上側シート４の幅（左右方向の長さ）は、いずれも、装着対象の履物９０の幅よりも大きい。各シート３，４の幅は、それぞれ、履物９０の足底部９１の踵部分の幅の１．５倍〜２倍程度の幅を有することが好ましい。各シート３，４の幅は、それぞれ、利用想定者の足幅（たとえば一般的な成人の足幅）の１．２倍〜１．５倍程度の幅を有することが好ましい。これにより、履物用中敷１の利用時（後述）において、両シート３，４の両側部を起き上がらせること等によって生成される空間（利用者の足を収容するための空間）（図１１の袋状部２等参照）を十分な大きさで確保することが可能である。
【００４３】
さて、履物用中敷１の非利用時（利用前等）には、図１および図２に示されるように、下側シート３と上側シート４とが互いに（密接して）重ねられており、履物用中敷１は平坦な状態を有している。それ故、履物用中敷１の非利用時において、履物用中敷１は嵩張らず、履物用中敷１の携帯性は非常に良好である。
【００４４】
一方、履物用中敷１の利用時には、両シート３，４が接合部６で接合された状態のままで、上側シート４の後端部４ｅ側（両シート３，４の非接合部分）にて両シート３，４が互いに引き離される向き（図１１の白抜き両矢印Ｒ１参照）に移動される。これによって、図１１等に示されるように、下側シート３と上側シート４との間に空間が形成され、当該空間に利用者の足９９（詳細には、その一部（特に、つま先および前側甲部））を挿入することが可能となる（図１２および図１３も参照）。より詳細には、利用者の足９９のつま先と当該足の前側甲部とを包囲する袋状部２が下側シート３と上側シート４との間に形成され、当該袋状部２（詳細には袋状部２の内部空間）に利用者の足９９（詳細には、その一部（特に、つま先および前側甲部））を挿入することが可能となる。なお、図１１〜図１３は、利用時における履物用中敷１の状態を示す図である。図１１は、両シート３，４の間の空間が拡大しつつある履物用中敷１を斜め後方から見た斜視図である。また、図１２は、履物用中敷１を左側方から見た側面図であり、図１３は、図１２のＣ−Ｃ断面を示す断面図である。
【００４５】
たとえば、履物用中敷１の利用者は、後端部４ｅ側（両シート３，４の非接合部分）にて当該両シート３，４を互いに引き離す向き（図１１の白抜き両矢印Ｒ１参照）に移動しつつ、両シート３，４の相互間に自らの足９９を（つま先から）挿入していく。足９９の挿入に応じて、両シート３，４が互いに引き離される向きに移動されつつ当該両シート３，４の側部（図１０にて砂地ハッチングが付された部分）が起き上がっていき、両シート３，４の相互間に形成される空間が徐々に拡大していく。このようにして、下側シート３と上側シート４との間に十分な空間（利用者の足９９が挿入される空間）が形成される（図１１参照）とともに、自らの足９９に履物用中敷１を装着することができる。そして、利用者は、履物用中敷１が装着された（自らの）足を履物９０に挿入する。換言すれば、履物用中敷１は、利用者の足９９に装着された状態で履物９０に装着される。このようにして、履物用中敷１と履物９０との双方が利用者によって履かれた状態（図１２および図１３参照）が実現される。
【００４６】
なお、履物用中敷１は、先ず利用者の足９９に装着されるのではなく、先ず履物９０に装着されてもよい。具体的には、履物用中敷１の利用者は、後端部４ｅ側にて当該両シート３，４を互いに引き離す向きに移動しつつ、両シート３，４の相互間に自らの手を挿入し、或る程度の大きさの空間を形成させる（袋状部２を膨らませる）。そして、利用者は、袋状部２を甲被部９２と足底部９１の前側部分との間の空間に押し込むようにして、履物用中敷１を先に履物９０に装着する。その後、利用者は、当該空間（袋状部２）に足を挿入する。このようにして、履物用中敷１と履物９０との双方が利用者によって履かれた状態が実現されてもよい。
【００４７】
図１２および図１３に示されるように、履物用中敷１は、その利用中において、利用者の足９９が履物９０に触れることを防止している。なお、図示の簡略化のため、図１２においては、接合部６の図示を省略している。
【００４８】
具体的には、下側シート３は、利用者の足裏と履物９０の足底部上面９１ａとの間に存在することによって、利用者の足裏が履物９０の足底部９１（足底部上面９１ａ）に触れることを防止している。また、上側シート４は、利用者の足９９のつま先および前側甲部と、履物９０の甲被部９２（内側面（裏面）９２ｂ）との間に存在することによって、利用者の足９９のつま先および前側甲部が履物９０の甲被部９２（内側面９２ｂ）に触れることを防止している。さらに、下側シート３の前方側の両側方部分（前方側左側方部分および前方側右側方部分および）が利用者の足９９のつま先および前側甲部と履物９０の甲被部９２（内側面９２ｂ）との間に存在することによって、利用者の足９９のつま先および前側甲部が履物９０の甲被部９２（内側面９２ｂ）に触れることを防止している。特に、履物用中敷１の袋状部２が利用者の足９９の前側部分を全体的に包むことによって、利用者の足９９の前側部分（足裏の前側部分、つま先、および前側甲部等）が履物９０に触れることを防止している。
【００４９】
このように、履物９０を履く際に履物用中敷１を利用することによって、利用者の足９９が履物９０に触れずに済む。端的に言えば、履物９０（スリッパ等）を履く際に、（スリッパ型の）履物用中敷１をも履くことにより、足が直接履物９０に触れずに済む。それ故、衛生状態を改善することが可能である。特に、病院、学校等の公共施設、飲食店のトイレ、宿泊施設等の集客施設に常備している不特定多数の人が使用する履物９０（スリッパおよび草履等）を介して皮膚疾患に感染する可能性を、低減することが可能である。
【００５０】
特に、つま先を含む足９９の前方部全体が袋状部２によって覆われている。そして、利用者の足のつま先と当該足の前側甲部とを包囲する袋状部２が両シートの間に形成され、当該袋状部２によって足の前側甲部のみならず足のつま先をも覆うことができる。したがって、足９９のつま先が履物９０の甲被部９２の内側面９２ｂの先端部に触れることを防止できるので、さらに衛生的である。特に、足の前側甲部の両側方部分（左方外側部分７ｂ，８ｂおよび右方外側部分７ｃ，８ｃ）が閉鎖され且つ当該足のつま先の外側部分に対応する前方部分７ａ，８ａ（図３および図４等参照）もが閉鎖されるように、両シート３，４が接合されている。それ故、足のつま先が当該袋状部２から突出（表出）することが無く、非常に衛生的である。なお、履物９０の中には、その先端に開口部を有するタイプの履物９０Ｐ（帯状の甲被部を有するスリッパ等）も存在する。そのような履物９０Ｐを履く際には、当該開口部の前側端部に足が接触する恐れが存在する。これに対して、上述のような袋状部２で足の前方部全体が覆われることによれば、当該開口部の前側端部に足が接触することをも防止できる。
【００５１】
なお、ここでは、逆Ｕ字型の接合部６による接合によって、足のつま先から前側甲部の側方部分までを完全に包囲する袋状部２（その前方側が完全に封鎖された袋状部２）が形成されている。これによれば、つま先が甲被部内側面９２ｂの先端部に触れることをより確実に防止することが可能である。ただし、両シート３，４の接合は、逆Ｕ字型の線状領域の全範囲を完全に（連続的に）閉鎖する態様に限定されず、たとえば、逆Ｕ字型の線状領域を一定間隔（たとえば数ｍｍ間隔）で閉鎖する態様であってもよい。このように、両シート３，４の接合によって、足のつま先が前方から飛び出ない程度に、前方部分７ａ，８ａおよび両側方部分７ｂ，７ｃ，８ｂ，８ｃが閉鎖されればよい。換言すれば、袋状部２は、足のつま先が前方から飛び出るような隙間がない程度に前方側が閉鎖された袋状空間を形成するものであってもよい。
【００５２】
さらに、履物用中敷１の利用時において、折り返し部５は、履物９０の甲被部９２の後側端部９２ｃ（図８参照）を包み込むように、利用者によって前方側に折り返される。詳細には、後側端部９２ｃよりもさらに後端側に突出した折り返し部５が、その根元部分を中心に（甲被部９２の後側端部９２ｃ付近において）前方側に折り返される。この際、折り返し部５は、甲被部９２の外周側（おもて側）および後側端部９２ｃを覆うように、前方側に折り返される。この結果、甲被部９２の後側端部９２ｃの下面側は、上側シート４内における折り返し部５に隣接する前方側部分によって保護され、その上面側（下方側）および後端面は、上側シート４の折り返し部５等により保護される。これによって、甲被部９２の後側端部９２ｃと利用者の足９９との接触をも防止できる。したがって、非常に衛生的である。なお、折り返し部５は、図１等に示されるように、上側シート４の幅方向の全域に亘って設けられることが好ましい。
【００５３】
その後、履物用中敷１の利用が終了すると、利用者は、履物用中敷１の折り返し部５を把持しつつ履物用中敷１（ひいては履物９０）を押さえておき、（履物９０に装着されたままの）履物用中敷１から自らの足９９を引き抜く。このようにして履物用中敷１から自らの足９９を外すことにより、手が履物９０に触れることを防ぎつつ自らの足９９を履物用中敷１から外すことができる。また、その後、履物用中敷１を履物９０から外す際にも、折り返し部５の曲折部分を把持した状態（詳細には、後側端部９２ｃから浮いている当該曲折部分を（後方側から）つまんだ状態）で履物用中敷１を履物９０から引き抜くことができる。これによれば、手が履物９０に触れることを防ぎつつ履物用中敷１を履物９０から外すことも可能である。このように、履物用中敷１の利用後に折り返し部５を持つことで、履物用中敷１を脱ぐ際も手が履物９０に触れずに済む。したがって、非常に衛生的である。
【００５４】
また、上述のように、履物用中敷１は、その非利用時において下側シート３と上側シート４とが互いに（密接して）重ねられた状態を有している。換言すれば、履物用中敷１は、その非利用時には、平坦な状態を有しており携帯性に優れている。
【００５５】
ここにおいて、図１０等に示されるように、履物用中敷１の幅が標準的な履物９０の幅よりも大きくなるように両シート３，４が形成されている。そして、履物用中敷１の利用時には、両シート３，４が互いに引き離される向きに移動されつつ当該両シート３，４の側部（図１０にてハッチングが付された部分）が起き上がっていく。これによって、下側シート３と上側シート４との間に空間（利用者の足９９が挿入される空間）が形成される（図１１参照）。たとえば、利用者が履物用中敷１を履く際に、両シート３，４にて（平面的に見て）余った部分（図１０のハッチング部分）が足の大きさに沿って持ち上がること等によって、足９９を入れる空間を作ることが可能である。それ故、足を挿入するための立体的な構造を最初から形成しておくことを要さず、履物用中敷を立体的に形成するための製造工程をも要しない。したがって、履物用中敷１を容易に製造することが可能である。また、履物用中敷１は、標準的な履物９０の大きさより大きめに作られているので、利用者は履物用中敷１を無理なく履くことができる。
【００５６】
また、足を挿入するための立体的な構造を利用者がテープ等を用いて組み立てることを要さず、接合部６で囲まれた空間（袋状部２の内部空間）を拡大することによって足を挿入する空間が容易に形成される。したがって、利用者は、直ちに（容易に）履物用中敷１の利用を開始することが可能である。
【００５７】
また、上下２枚のシート３，４は、ポリプロピレンなどの材料（熱圧着することが可能な材料）で形成される。そして、下側シート３の第１部分７と上側シート４の第２部分８とは、熱圧着によって接合される。したがって、縫合によって接合される場合に比べて、非常に容易に製造され、製造コストを低減することが可能である。換言すれば、生産性および経済性の向上が期待できる。
【００５８】
また、両シート３，４が不織布で構成されており、履物用中敷１は軽くて丈夫である。両シート３，４が不織布等で形成されることによれば、履物用中敷１を足に装着した状態で破損することなく履物９０の先端まで挿入することができる程度の強度を十分に確保することが可能である。なお、２枚のシート３，４（ここではポリプロピレン製の２枚の不織布）が熱圧着され、破損に対する強度が増大しているので、履物９０（スリッパ等）の無い施設において履物用中敷１を履物９０の代用物として一時的に利用することも可能である。
【００５９】
また、両シート３，４は、履物９０の幅方向において、互いにほぼ同じ大きさ（幅）を有しており、且つ、両シート３，４は、その周縁部（詳細にはその一部）で接合されている。換言すれば、履物用中敷１の接合部６は、履物用中敷１の周縁部に設けられており、且つ、当該接合部６の外側に余分な部分（余剰部分）が殆ど発生しない。したがって、履物用中敷１の利用時において立体的な袋状部２が両シート３，４により形成される際に、接合部６よりも外側に、はみ出る部分（無駄な余剰部分）を殆ど発生させずに済む。すなわち、袋状部２の内部にて十分な大きさの空間を形成できるとともに、袋状部２の外部には余剰部分が殆ど存在しない。特に、履物用中敷１を履物９０に挿入した際に履物９０の足底部９１と甲被部９２との間の空間に当該余剰部分が存在せずに済むので、履き心地が悪化することを抑制できる。端的に言えば、履き心地が良い。
【００６０】
＜２．第２実施形態＞
上記第１実施形態においては、上側シート４が足長方向において下側シート３よりも短い態様（換言すれば、大小２枚のシート３，４が用いられる態様）が例示されているが、これに限定されない。たとえば、上側シート４が足長方向において下側シート３と同じ長さを有していてもよい。換言すれば、互いに同じ大きさの２枚のシート３，４が用いられてもよい。第２実施形態においては、そのような態様について説明する。なお、以下では、第１実施形態との相違点を中心に説明する。
【００６１】
図１４〜図１８は、第２実施形態に係る履物用中敷１（１Ｂとも称する）を示す図である。図１４は、履物用中敷１Ｂの上面図であり、図１５は、履物用中敷１Ｂの側面図であり、図１６は、履物用中敷１Ｂの分解斜視図である。また、図１７は、折り返し部５Ｂが折り返された状態を示す側面図であり、図１８は、利用時における履物用中敷１Ｂの状態を示す側面図である。
【００６２】
これらの図に示されるように、履物用中敷１Ｂは、下側シート３Ｂと上側シート４Ｂとを備えて構成される。下側シート３Ｂは、第１実施形態の下側シート３（３Ａとも称する）と同様の構成を有している。一方、上側シート４Ｂは、第１実施形態の上側シート４（４Ａとも称する）とは異なり、下側シート３Ｂと同じ大きさ及び形状を有している。
【００６３】
第１実施形態と同様に、下側シート３Ｂと上側シート４Ｂとは、接合部６においてのみ接合されている。接合部６は、履物用中敷１Ｂの前方側（ひいては履物９０の前方側）を凸側とする逆Ｕ字型（換言すれば、長円の半円弧状）に形成されている。上側シート４Ｂの後方側では、上側シート４Ｂは下側シート３Ｂとは接合されていない。そのため、上側シート４Ｂの後方側領域は、図１７に示されるように、上側シート４Ｂの前方側（ひいては履物９０の前方側）へと折り返され得る。この上側シート４Ｂの後方側領域は、折り返し部５（５Ｂ）を構成する。図１８に示されるように、履物用中敷１Ｂの装着状態においては、折り返し部５Ｂは、履物９０の甲被部９２の表（おもて）面（外側面）９２ａ（図８参照）を広く覆うように、履物９０の前方側へと折り返される。
【００６４】
このような履物用中敷１Ｂによれば、第１実施形態と同様の効果を得ることが可能である。また、折り返し部５Ｂの面積が比較的大きい（第１実施形態に係る折り返し部５（５Ａ）の面積よりも大きい）ので、利用者の足および／または手と甲被部９２（後側端部９２ｃ等）との接触をより確実に防止することが可能である。
【００６５】
また、上側シート４Ｂは下側シート３Ｂと同じ大きさを有しているので、履物用中敷１Ｂの製造が容易である。たとえば、非常に広い面積を有する大きな２枚のシートを重ねた状態で、熱圧着により接合部６を形成し、その後に（あるいは同時に）、接合部６を含む長円形状の所定領域を切り抜く処理が行われればよい。これによって、上下に積層された下側シート３と上側シート４とが接合部６のみで接合された履物用中敷１Ｂを容易に製造することができる。
【００６６】
なお、第２実施形態の接合部６は、履物用中敷１の足長方向における中央位置付近（より詳細には、中央位置よりも若干後方側）まで形成されている。この場合、折り返し部５Ｂの足長方向における長さは、上側シート４Ｂの全長の半分以下になる。したがって、折り返し部５Ｂを折り返した際に折り返し部５Ｂが履物９０の前端部よりも前に飛び出ないようにすることが容易である。ただし、これに限定されず、第２実施形態の接合部６は、履物用中敷１の足長方向における中央位置よりも前方側まで形成されるようにしてもよい。この場合には、利用者は、折り返し部５Ｂを折り返した際に折り返し部５Ｂが履物９０の前端部よりも前に飛び出ないように、折り返し部５Ｂのうち実際に折り返す部分の長さ（足長方向の長さ）を適宜調整すればよい。
【００６７】
＜３．その他＞
以上、この発明の実施の形態について説明したが、この発明は上記説明した内容のものに限定されるものではない。
【００６８】
たとえば、両シート３，４は、ポリプロピレンに限定されず、ポリエステル、ポリエチレン、ポリスチレン、レーヨンなどの他の材料で形成されてもよい。また、両シート３，４は、不織布に限定されず、紙、布（織布）などで形成されてもよい。
【００６９】
また、上記実施形態においては、履物用中敷１は、不織布の両シート３，４を熱圧着（圧接）することによって形成されているが、これに限定されない。たとえば、（非加熱）加圧圧着、融接、（接着剤等による）接着、縫合などの各種の手法によって接合されてもよい。
【００７０】
また、折り返し部５は設けられることが好ましいが、必ずしも設けられなくてもよい。
【００７１】
また、上側シート４は、前方側領域３ｆの全部を少なくとも覆うように配置されているが、これに限定されない。たとえば、上述の履物９０Ｐ（帯状の甲被部を有するスリッパ等）を対象にする場合等においては、上側シート４は、前方側領域３ｆの一部（たとえば、前方側領域３ｆのうち、その先端部を除く帯状領域（帯状の甲被部に対応する領域））を少なくとも覆うように配置されてもよい。
【００７２】
接合部６の形状は、その後方側が開放された（逆）Ｕ字状ではなく、その後方側が開放された円弧状（円または楕円の一部の円弧状）であってもよい。あるいは、その後方側が開放された門型あるいは山型などであってもよい。
【符号の説明】
【００７３】
１，１Ａ，１Ｂ  履物用中敷
２  袋状部
３，３Ａ，３Ｂ  下側シート
４，４Ａ，４Ｂ  上側シート
３ｆ  前方側領域
４ｂ  後端部
４ｃ  （後端側の）非接合部分
６  接合部
９０  履物
９１  足底部
９２  甲被部
【要約】
【課題】不特定多数の他者によって使用される履物を利用する際における衛生状態を改善することが可能な履物用中敷を提供する。
【解決手段】履物用中敷１は、装着対象履物の足底部側に配置されるための第１シート３と、装着対象履物の甲被部側に配置されるための第２シート４とを備える。第２シート４は、第１シート３の足長方向における前方側領域の全部または一部を少なくとも覆うように、第１シート３に重ねられて配置される。両シート３，４は接合部６で接合されている。履物用中敷１の利用前において、両シート３，４は互いに重ねられた平坦な状態を有している。一方、利用時には、接合部６で接合された状態で両シート３，４がその非接合部分において互いに引き離される向きに移動されることによって、両シート３，４の間に形成される空間に利用者の足を挿入することが可能となる。
【選択図】図５【図１】
0006803489.tif 000002
【図２】
0006803489.tif 000003
【図３】
0006803489.tif 000004
【図４】
0006803489.tif 000005
【図５】
0006803489.tif 000006
【図６】
0006803489.tif 000007
【図７】
0006803489.tif 000008
【図８】
0006803489.tif 000009
【図９】
0006803489.tif 000010
【図１０】
0006803489.tif 000011
【図１１】
0006803489.tif 000012
【図１２】
0006803489.tif 000013
【図１３】
0006803489.tif 000014
【図１４】
0006803489.tif 000015
【図１５】
0006803489.tif 000016
【図１６】
0006803489.tif 000017
【図１７】
0006803489.tif 000018
【図１８】
0006803489.tif 000019